【手続補正書】
【提出日】平成17年4月12日(2005.4.12)
【手続補正１】
【補正対象書類名】明細書
【補正対象項目名】特許請求の範囲
【補正方法】変更
【補正の内容】
【特許請求の範囲】
【請求項１】
互いに対向配置された第１基板と第２基板との間に液晶層が挟持された液晶セルを有する液晶表示装置であって、
前記第２基板の内面側に、所定の回転方向を持つ円偏光または楕円偏光のうちの一部の円偏光または楕円偏光を反射させ、一部の円偏光または楕円偏光を透過させるコレステリック液晶層を有する半透過反射層と、透明導電膜からなる第２電極とが基板側からこの順に設けられるとともに、前記第１基板の内面側に透明導電膜からなる第１電極が設けられ、前記液晶層に対して前記第１基板側から円偏光または楕円偏光を入射させる第１楕円偏光入射手段と前記第２基板側から円偏光または楕円偏光を入射させる第２楕円偏光入射手段とが設けられるとともに、液晶セルの一方の側に照明手段が設けられ、該照明手段から入射された光が前記第２楕円偏光入射手段を透過した後の円偏光または楕円偏光と、前記照明手段から入射されて前記液晶層を透過した光が前記第１楕円偏光入射手段に入射される前の円偏光または楕円偏光は、その回転方向が逆回りであり、かつ、その長軸方向が±４０°以内の角度をなすことを特徴とする液晶表示装置。
【請求項２】
前記第１楕円偏光入射手段が、一方向の直線偏光を透過する偏光板と該偏光板を透過した直線偏光を円偏光または楕円偏光に変換する位相差板とを有することを特徴とする請求項１に記載の液晶表示装置。
【請求項３】
前記第２楕円偏光入射手段が、一方向の直線偏光を透過する偏光板と該偏光板を透過した直線偏光を円偏光または楕円偏光に変換する位相差板とを有することを特徴とする請求項１または２に記載の液晶表示装置。
【請求項４】
前記位相差板が、１／４波長板と１／２波長板とを組み合わせてなる広帯域１／４波長板であることを特徴とする請求項２または３に記載の液晶表示装置。
【請求項５】
異なる色の顔料を含む複数の色素層を有するカラーフィルターが設けられるとともに、前記コレステリック液晶層が、所定の領域毎に液晶分子のらせんピッチに応じた波長の異なる色光を選択的に反射させる反射型カラーフィルターとして機能するものであり、前記所定の領域毎に前記コレステリック液晶層の反射波長帯域と前記カラーフィルターの各色素層の透過波長帯域とが少なくとも一部重なっていることを特徴とする請求項１ないし４のいずれか一項に記載の液晶表示装置。
【請求項６】
異なる色の顔料を含む複数の色素層を有するカラーフィルターが設けられるとともに、前記コレステリック液晶層が、所定の領域毎に液晶分子のらせんピッチに応じた波長の異なる色光を選択的に反射させる反射型カラーフィルターとして機能するものであり、前記所定の領域毎に前記コレステリック液晶層からの反射光の色と前記カラーフィルターの各色素層の透過光の色が一致していることを特徴とする請求項１ないし４のいずれか一項に記載の液晶表示装置。
【請求項７】
前記第２基板と前記カラーフィルターとの間に、前記所定の領域毎に前記コレステリック液晶層の反射波長帯域以外の波長帯域の色光の少なくとも一部を反射するコレステリック液晶層がさらに設けられたことを特徴とする請求項５または６に記載の液晶表示装置。
【請求項８】
前記第２基板と前記カラーフィルターとの間に、前記所定の領域毎に前記カラーフィルターの各色素層の透過光の色と補色の関係にある色の色光の少なくとも一部を反射するコレステリック液晶層がさらに設けられたことを特徴とする請求項５または６に記載の液晶表示装置。
【請求項９】
請求項１ないし８のいずれか一項に記載の液晶表示装置を備えたことを特徴とする電子機器。
【手続補正２】
【補正対象書類名】明細書
【補正対象項目名】００１８
【補正方法】変更
【補正の内容】
【００１８】
【課題を解決するための手段】
上記の目的を達成するために、本発明の液晶表示装置は、互いに対向配置された第１基板と第２基板との間に液晶層が挟持された液晶セルを有する液晶表示装置であって、第２基板の内面側に、所定の回転方向を持つ円偏光または楕円偏光のうちの一部の円偏光または楕円偏光を反射させ、一部の円偏光または楕円偏光を透過させるコレステリック液晶層を有する半透過反射層と、透明導電膜からなる第２電極とが基板側からこの順に設けられるとともに、第１基板の内面側に透明導電膜からなる第１電極が設けられ、液晶層に対して第１基板側から円偏光または楕円偏光を入射させる第１楕円偏光入射手段と第２基板側から円偏光または楕円偏光を入射させる第２楕円偏光入射手段とが設けられるとともに、液晶セルの一方の側に照明手段が設けられ、照明手段から入射された光が第２楕円偏光入射手段を透過した後の円偏光または楕円偏光と、照明手段から入射されて液晶層を透過した光が第１楕円偏光入射手段に入射される前の円偏光または楕円偏光は、その回転方向が逆回りであり、かつ、その長軸方向が±４０°以内の角度をなすことを特徴とする。
【手続補正３】
【補正対象書類名】明細書
【補正対象項目名】００２１
【補正方法】変更
【補正の内容】
【００２１】
図２は表示原理を説明するための図である。
一対の透光性基板からなる上基板（第１基板）１と下基板（第２基板）２との間に液晶層３が挟持されることにより液晶セル４が構成されている。下基板２の内面側には、顔料を含む色素層５（図２では例えば赤色（Ｒ）の色素層として説明する）を有するカラーフィルター層６（以下、顔料カラーフィルター層ともいう）と、コレステリック液晶層８からなる半透過反射層７とが基板側からこの順に設けられている。コレステリック液晶層８は、所定の波長帯域（色）および所定の回転方向を持つ円偏光のうちの一部を反射させ、一部を透過させるものであり、本説明では例えば赤色の右回りの円偏光（以下、右円偏光という）のうち、８０％を反射させ、２０％を透過させるものである。顔料カラーフィルター層６の色素層５の透過波長帯域とその上に位置するコレステリック液晶層８の反射波長帯域とが重なっており、この場合、赤色光を透過させる色素層５上に赤色光を選択反射させるコレステリック液晶層８が配置されている。
【手続補正４】
【補正対象書類名】明細書
【補正対象項目名】００２２
【補正方法】変更
【補正の内容】
【００２２】
また、この液晶表示装置は、液晶層３に対して上基板１側から楕円偏光を入射させる上基板側楕円偏光入射手段（第１楕円偏光入射手段）が設けられており、図２では一方向の直線偏光を透過する上偏光板９とこの上偏光板９を透過した直線偏光を円偏光に変換する上１／４波長板１０とが上基板側楕円偏光入射手段を構成している。さらに、図２では液晶層３に対して下基板２側から楕円偏光を入射させる下基板側楕円偏光入射手段（第２楕円偏光入射手段）も設けられており、上基板１側と同様、下偏光板１１と下１／４波長板１２とが下基板側楕円偏光入射手段を構成している。ここでは、上基板側、下基板側ともに、偏光板９，１１の透過軸を図２の紙面に平行な方向とし、この方向の直線偏光が１／４波長板１０，１２に入射された場合に右円偏光が出射されるものとする。
【手続補正５】
【補正対象書類名】明細書
【補正対象項目名】００３７
【補正方法】変更
【補正の内容】
【００３７】
前記上基板側楕円偏光入射手段（第１楕円偏光入射手段）や前記下基板側楕円偏光入射手段（第２楕円偏光入射手段）は、一方向の直線偏光を透過する偏光板とこの偏光板を透過した直線偏光を楕円偏光に変換する位相差板とを有することが望ましい。
これら偏光板、位相差板からなる２つの光学部材を上基板（第１基板）側、下基板（第２基板）側のそれぞれに設置することによって、太陽光、照明光などの外光と照明手段（バックライト）からの照明光を容易に楕円偏光に変換することができ、本発明の液晶表示装置に好適なものとすることができる。
【手続補正６】
【補正対象書類名】明細書
【補正対象項目名】００４８
【補正方法】変更
【補正の内容】
【００４８】
本実施の形態の液晶表示装置５０は、図１に示すように、液晶セル２１とバックライト２２（照明手段）とを備えたものである。液晶セル２１は、下基板（第２基板）２３と上基板（第１基板）２４とが対向配置され、これら上基板２４と下基板２３との間に、位相差を例えばλ／２に設定したＳＴＮ（Super Twisted Nematic）液晶などからなる液晶層２６が挟持されている。液晶セル２１の後面側（下基板２３の外面側）にバックライト２２が配置されている。バックライト２２は、ＬＥＤ（発光ダイオード）等からなる光源２７、導光板２８、反射板２９などを備えている。
【手続補正７】
【補正対象書類名】明細書
【補正対象項目名】００５４
【補正方法】変更
【補正の内容】
【００５４】
下基板２３の内面側の半透過反射層３５の上方には、オーバーコート層３６を介してＩＴＯ等の透明導電膜からなる下部電極（第２電極）３７が形成され、その上にポリイミド等の樹脂からなる配向膜３８が形成されている。一方、上基板２４の内面側にも、ＩＴＯ等の透明導電膜からなる上部電極（第１電極）３９が形成され、その上にポリイミド等の樹脂からなる配向膜４０が形成されている。これら下部電極３７、上部電極３９からなる電極構成には、薄膜トランジスタ（ＴＦＴ）、薄膜ダイオード（ＴＦＤ）等のスイッチング素子を用いたアクティブマトリクス方式、パッシブマトリクス方式のいずれも採用することができる。
【手続補正８】
【補正対象書類名】明細書
【補正対象項目名】００５５
【補正方法】変更
【補正の内容】
【００５５】
上基板２４の外面側には、１／４波長板４７と１／２波長板４２と偏光板４３（これらの部材で上基板側楕円偏光入射手段（第１楕円偏光手段）を構成する）とが基板側からこの順に設けられている。一方、下基板２３の外面側には、１／４波長板４４と１／２波長板４８と偏光板４５（これらの部材で下基板側楕円偏光入射手段（第２楕円偏光手段）を構成する）とが基板側からこの順に設けられている。これら１／４波長板４７，４４、１／２波長板４２，４８、偏光板４３，４５は、液晶層２６に対して所定の回転方向を持つ楕円偏光を入射させるものであり、特に１／４波長板４７，４４と１／２波長板４２，４８は広帯域１／４波長板として機能する。そして、バックライト２２から液晶セルに入射した光が１／２波長板４８を透過した後の楕円偏光と、その後、液晶層２６を透過した光が１／２波長板４２に入射される前の楕円偏光はその回転方向が逆回りであり、かつ、その長軸方向が±４０°以内の角度をなすように、より好ましくは略一致するように、各偏光板４３，４５の透過軸と１／４波長板４７，４４および１／２波長板４２，４８の遅相軸が配置されている。ただし、特に上基板２４側に設ける位相差板に色補償の機能も持たせたい場合には必ずしも１／４波長板と１／２波長板の組み合わせを用いることはなく、任意の位相差を持つ位相差板を選択すればよい。